(57)【特許請求の範囲】
【請求項１】
一個のシステム機体（１）および一個の水平対流ファン（２）を有する放熱システムにおいて、システム機体（１）の内部には一個のチェンバー（１１）が形成され、チェンバー（１１）には熱源（１１１）または熱伝導部材（１１２）が含まれ、システム機体（１）にはチェンバー（１１）と連通する二個の水平導風口（１２）が設けられ、水平対流ファン（２）にはシステム機体（１）のチェンバー（１１）に設置される一個の框体（２１）が含まれ、框体（２１）には一個の導流側壁（２１１）が含まれ、導流側壁（２１１）の内側には一個の水平流路（２１２）が形成され、かつ水平流路（２１２）と連通する一個の径方向風入口（２１３）および一個の径方向風出口（２１４）が設けられ、径方向風入口（２１３）および径方向風出口（２１４）はシステム機体（１）の二個の水平導風口（１２）と相対するように形成され、水平流路（２１２）には一個のファンホイール（２２）が設けられ、ファンホイール（２２）によって水平対流を生じて熱源（１１１）または熱伝導部材（１１２）の温度を低く下げ、さらに框体（２１）がファンホイール（２２）における軸方向の両側を密閉しない開放状に形成されることを特徴とする水平対流ファンを有する放熱システム。
【請求項２】
システム機体（１）には底板（１ａ）が含まれ、底板（１ａ）の周縁には互いに連接する複数個の側壁（１ｂ）が設けられ、それぞれの側壁（１ｂ）には一個の蓋板（１ｃ）が結合され、底板（１ａ）、側壁（１ｂ）および蓋板（１ｃ）が共同して囲んだチェンバー（１１）を有するシステム機体（１）が形成され、二個の水平導風口（１２）は側壁（１ｂ）に設けられることを特徴とする請求項１に記載の水平対流ファンを有する放熱システム。
【請求項３】
底板（１ａ）と蓋板（１ｃ）はシステム機体（１）のチェンバー（１１）を被覆するように形成されることを特徴とする請求項２に記載の水平対流ファンを有する放熱システム。
【請求項４】
底板（１ａ）と蓋板（１ｃ）は水平対流ファン（２）のファンホイール（２２）の軸方向に位置し、かつ底板（１ａ）と蓋板（１ｃ）は水平対流ファン（２）のファンホイール（２２）の回動範囲を被覆するように形成されることにより、水平流路（２１２）はファンホイール（２２）の軸方向において密閉された構造に形成されることを特徴とする請求項３に記載の水平対流ファンを有する放熱システム。
【請求項５】
蓋板（１ｃ）は水平対流ファン（２）のファンホイール（２２）の軸方向に位置し、かつ蓋板（１ｃ）は水平対流ファン（２）のファンホイール（２２）の回動範囲を被覆するように形成されることにより、水平流路（２１２）はファンホイール（２２）の軸方向において密閉された構造に形成されることを特徴とする請求項３に記載の水平対流ファンを有する放熱システム。
【請求項６】
二個の水平導風口（１２）は隣接する二個の側壁（１ｂ）に設けられることを特徴とする請求項２に記載の水平対流ファンを有する放熱システム。
【請求項７】
底板（１ａ）と蓋板（１ｃ）の間には一個の隙間（Ｄ）が形成され、水平対流ファン（２）の導流側壁（２１１）はファンホイール（２２）の軸方向において一個の軸方向の高さ（Ｈ）が形成され、軸方向の高さ（Ｈ）は隙間（Ｄ）と同じになるように形成されることを特徴とする請求項２に記載の水平対流ファンを有する放熱システム。
【請求項８】
導流側壁（２１１）と底板（１ａ）の間または導流側壁（２１１）と蓋板（１ｃ）の間には一個の気密部材（２６）が設けられることを特徴とする請求項２、３、４、５、６または７に記載の水平対流ファンを有する放熱システム。
【請求項９】
気密部材（２６）は導流側壁（２１１）が底板（１ａ）または蓋板（１ｃ）に向いている周縁に設けられることを特徴とする請求項８に記載の水平対流ファンを有する放熱システム。
【請求項１０】
システム機体（１）の二個の水平導風口（１２）の間には少なくとも一個の固定部（１３）が設けられ、水平対流ファン（２）は固定部（１３）に固定されることを特徴とする請求項１、２、３、４、５、６または７に記載の水平対流ファンを有する放熱システム。
【請求項１１】
システム機体（１）の固定部（１３）は二個の係止部材からなり、水平対流ファン（２）の框体（２１）の導流側壁（２１１）には二個の係止フック（２５）が設けられ、二個の係止フック（２５）は上記二個の係止部材に係止して結合されることを特徴とする請求項１０に記載の水平対流ファンを有する放熱システム。
【請求項１２】
一個のシステム機体（３）および一個の水平対流ファン（４）を有する水平対流ファンを有する放熱システムにおいて、システム機体（３）の内部には一個のチェンバー（３１）が形成され、チェンバー（３１）には熱源（３１１）または熱伝導部材が含まれ、システム機体（３）にはチェンバー（３１）と連通する一個の水平導風口（３２）が設けられ、水平対流ファン（４）にはシステム機体（３）のチェンバー（３１）に設置される一個の框体（４１）が含まれ、框体（４１）には一個の導流側壁（４１１）が含まれ、導流側壁（４１１）の内側には一個の水平流路（４１２）が形成され、かつ水平流路（４１２）と連通する一個の径方向風入口（４１３）および一個の径方向風出口（４１４）が設けられ、径方向風入口（４１３）または径方向風出口（４１４）は熱源（３１１）または熱伝導部材に向くように形成され、径方向風入口（４１３）または径方向風出口（４１４）はシステム機体（３）の水平導風口（３２）と相対するように形成され、水平流路（４１２）には一個のファンホイール（４２）が設けられ、ファンホイール（４２）によって水平対流を生じて熱源（３１１）または熱伝導部材の温度を低く下げ、さらに框体（４１）がファンホイール（４２）における軸方向の両側を密閉しない開放状に形成されることを特徴とする水平対流ファンを有する放熱システム。
【請求項１３】
システム機体（３）には底板（３ａ）が含まれ、底板（３ａ）の周縁には互いに連接する複数個の側壁（３ｂ）が設けられ、それぞれの側壁（３ｂ）には一個の蓋板（３ｃ）が結合され、底板（３ａ）、側壁（３ｂ）および蓋板（３ｃ）が共同して囲んだチェンバー（３１）を有するシステム機体（３）が形成され、水平導風口（３２）は側壁（３ｂ）に設けられることを特徴とする請求項１２に記載の水平対流ファンを有する放熱システム。
【請求項１４】
底板（３ａ）と蓋板（３ｃ）はシステム機体（３）のチェンバー（３１）を被覆するように形成されることを特徴とする請求項１３に記載の水平対流ファンを有する放熱システム。
【請求項１５】
底板（３ａ）と蓋板（３ｃ）は水平対流ファン（４）のファンホイール（４２）の軸方向に位置し、かつ底板（３ａ）と蓋板（３ｃ）は水平対流ファン（４）のファンホイール（４２）の回動範囲を被覆するように形成されることにより、水平流路（４１２）はファンホイール（４２）の軸方向において密閉された構造に形成されることを特徴とする請求項１４に記載の水平対流ファンを有する放熱システム。
【請求項１６】
蓋板（３ｃ）は水平対流ファン（４）のファンホイール（４２）の軸方向に位置し、かつ蓋板（３ｃ）は水平対流ファン（４）のファンホイール（４２）の回動範囲を被覆するように形成されることにより、水平流路（４１２）はファンホイール（４２）の軸方向において密閉された構造に形成されることを特徴とする請求項１４に記載の水平対流ファンを有する放熱システム。
【請求項１７】
底板（３ａ）と蓋板（３ｃ）の間には一個の隙間（Ｄ）が形成され、水平対流ファン（４）の導流側壁（４１１）はファンホイール（４２）の軸方向において一個の軸方向の高さ（Ｈ）が形成され、軸方向の高さ（Ｈ）は隙間（Ｄ）と同じになるように形成されることを特徴とする請求項１３に記載の水平対流ファンを有する放熱システム。
【請求項１８】
導流側壁（４１１）と底板（３ａ）の間または導流側壁（４１１）と蓋板（３ｃ）の間には一個の気密部材（４６）が設けられることを特徴とする請求項１３、１４、１５、１６または１７に記載の水平対流ファンを有する放熱システム。
【請求項１９】
気密部材（４６）は導流側壁（４１１）が底板（３ａ）または蓋板（３ｃ）に向いている周縁に設けられることを特徴とする請求項１８に記載の水平対流ファンを有する放熱システム。
【請求項２０】
システム機体（３）には少なくとも一個の固定部が設けられ、水平対流ファン（４）は上記固定部に固定されることを特徴とする請求項１２、１３、１４、１５、１６または１７に記載の水平対流ファンを有する放熱システム。
【請求項２１】
システム機体（３）の上記固定部は二個の係止部材からなり、水平対流ファン（４）の框体（４１）の導流側壁（４１１）には二個の係止フックが設けられ、上記二個の係止フックは上記二個の係止部材に係止して結合されることを特徴とする請求項２０に記載の水平対流ファンを有する放熱システム。
【請求項２２】
一個のシステム機体（５）および一個の水平対流ファン（６）を有する水平対流ファンを有する放熱システムにおいて、システム機体（５）の内部には一個のチェンバー（５１）が形成され、チェンバー（５１）には熱源（５１１）または熱伝導部材（５１２）が含まれ、システム機体（５）にはチェンバー（５１）と連通する少なくとも一個の水平導風口（５２）が設けられ、チェンバー（５１）には一個の水平流路（５４）が設けられ、水平流路（５４）は少なくとも一個の水平導風口（５２）と連通するように形成され、水平対流ファン（６）には一個の基座（６１）が含まれ、基座（６１）はシステム機体（５）の水平流路（５４）に設けられ、基座（６１）には一個のファンホイール（６２）が設けられ、ファンホイール（６２）によって水平対流を生じて熱源（５１１）または熱伝導部材（５１２）の温度を低く下げるように形成され、システム機体（５）には底板（５ａ）が含まれ、底板（５ａ）の周縁には互いに連接する複数個の側壁（５ｂ）が設けられ、それぞれの側壁（５ｂ）には一個の蓋板（５ｃ）が結合され、底板（５ａ）、側壁（５ｂ）および蓋板（５ｃ）が共同して囲んだチェンバー（５１）を有するシステム機体（５）が形成され、水平導風口（５２）は側壁（５ｂ）に設けられ、底板（５ａ）と蓋板（５ｃ）はシステム機体（５）のチェンバー（５１）を被覆するように形成され、底板（５ａ）と蓋板（５ｃ）は水平対流ファン（６）のファンホイール（６２）の軸方向に位置し、かつ底板（５ａ）と蓋板（５ｃ）は水平対流ファン（６）のファンホイール（６２）の回動範囲を被覆するように形成されることにより、水平流路（５４）はファンホイール（６２）の軸方向において密閉された構造に形成されることを特徴とする水平対流ファンを有する放熱システム。
【請求項２３】
一個のシステム機体（５）および一個の水平対流ファン（６）を有する水平対流ファンを有する放熱システムにおいて、システム機体（５）の内部には一個のチェンバー（５１）が形成され、チェンバー（５１）には熱源（５１１）または熱伝導部材（５１２）が含まれ、システム機体（５）にはチェンバー（５１）と連通する少なくとも一個の水平導風口（５２）が設けられ、チェンバー（５１）には一個の水平流路（５４）が設けられ、水平流路（５４）は少なくとも一個の水平導風口（５２）と連通するように形成され、水平対流ファン（６）には一個の基座（６１）が含まれ、基座（６１）はシステム機体（５）の水平流路（５４）に設けられ、基座（６１）には一個のファンホイール（６２）が設けられ、ファンホイール（６２）によって水平対流を生じて熱源（５１１）または熱伝導部材（５１２）の温度を低く下げるように形成され、システム機体（５）には底板（５ａ）が含まれ、底板（５ａ）の周縁には互いに連接する複数個の側壁（５ｂ）が設けられ、それぞれの側壁（５ｂ）には一個の蓋板（５ｃ）が結合され、底板（５ａ）、側壁（５ｂ）および蓋板（５ｃ）が共同して囲んだチェンバー（５１）を有するシステム機体（５）が形成され、水平導風口（５２）は側壁（５ｂ）に設けられ、底板（５ａ）と蓋板（５ｃ）はシステム機体（５）のチェンバー（５１）を被覆するように形成され、蓋板（５ｃ）は水平対流ファン（６）のファンホイール（６２）の軸方向に位置し、かつ蓋板（５ｃ）は水平対流ファン（６）のファンホイール（６２）の回動範囲を被覆するように形成されることにより、水平流路（５４）はファンホイール（６２）の軸方向において密閉された構造に形成されることを特徴とする水平対流ファンを有する放熱システム。
【発明の詳細な説明】
【技術分野】
【０００１】
本発明は、放熱システムに関するもので、特に水平対流ファンを有する放熱システムに係わるものである。
【背景技術】
【０００２】
従来のファンモジュールとしては、大別して軸流式ファンモジュールと遠心式ファンモジュールの二種類が含まれる。その中、軸流式ファンモジュールは軸方向においてそれぞれ相対する一個の軸方向風入口と一個の軸方向風出口を有し、上記軸方向風入口を経由して気流を導入し、それから再び上記軸方向風出口を経由して気流を導出することにより、放熱の効果を提供することができる。また、遠心式ファンモジュールでは軸方向において一個の軸方向風入口を有し、さらに半径方向において一個の径向風出口を有し、上記軸方向風入口を経由して気流を導入し、それから再び上記径向風出口を経由して側面方向に気流を導出することにより、同様に放熱の効果を提供することができる。
【０００３】
しかし、上記従来の軸流式放熱ファンでは、気流を導引して軸方向に対して放熱を行うことができるが、気流を導引して径方向に対して放熱を行うことはできない。そのため、軸流式放熱ファンを各種の電子製品に応用させる時、熱源（例えばパソコンの中央處理器の上面）の上方に組み立てなければならないため、電子製品の軸方向の高さを低く抑えることができない。また、遠心式放熱ファンでは、径方向風出口から気流を導出することができるが、依然として軸方向風入口を利用して気流を導入しなければならないため、側辺の方向から気流を導入する電子製品（例えば携帯電話または携帯情報端など）には適用しないという問題点があった。
【０００４】
そのため、市場ではファンホイールの径方向において、径方向で気流を導入したり導出したりすることができる従来の水平対流ファンが開発され、その水平対流ファンを側辺の方向から気流を導入する電子製品に応用している。例えば、図７に掲示されている中華民国公告第５５３３２３号の「水平対流ファンの構造」において、水平対流ファン８には一個の殼座８１と一個のファンホイール８２が含まれる。殼座８１は一個の底板８１１、複数個の側壁８１２と一個の上蓋８１３により構成される中空框体であり、そして殼座８１には径方向風入口８３と径方向風出口８４が設けられる。ファンホイール８２は殻座８１の内部に設けられる。これにより、水平対流ファン８を一個の電子製品の機体９の内部に取り付けることができ、そしてファンホイール８２が回動される時、径方向風入口８３と径方向風出口８４によって水平対流を生じさせることにより、機体９内部の一個の熱源（すなわち各種の電子部材）に対して放熱を行うことができるようにしたものがある。
【先行技術文献】
【特許文献】
【０００５】
【特許文献１】中華民国公告第５５３３２３号
【発明の概要】
【発明が解決しようとする課題】
【０００６】
上記の図７に掲示されるような従来の水平対流ファンの構造においては、一般的に次のような問題点を有している。従来の水平対流ファン８の殼座８１は一個の底板８１１、複数個の側壁８１２と上蓋８１３により構成されるため、従来の水平対流ファン８を電子製品の機体の内部に取り付ける時、機体９の内部では殻座８１の底板８１１、複数個の側壁８１２と上蓋８１３を収容するのに必要とする軸方向の高さの空間を充分に確保しなければならない。また、一般的に、電子製品の機体９も同様に予定される厚さを有することにより、電子製品の高さＨは同時に機体９、底板８１１、複数個の側壁８１２と上蓋８１３などの部材の厚さを有するようになるため、電子製品の機体９の高さＨを低く抑えることができず、そのために全体的な容積を縮減することができないという問題点があった。このように、上記のような従来の水平対流ファンの構造はさらなる改良を必要とするものであった。
【０００７】
本発明はこのような問題点に鑑みて発明されたものであって、その主な目的とするところは、水平対流ファンを放熱システムの機体内部に取り付ける時、過大な軸方向の高さの空間を占めるのを避けることにより、放熱システムの高さと容積を有効に縮減することができる水平対流ファンを有する放熱システムを提供することである。
【課題を解決するための手段】
【０００８】
上記目的を達成するために、本発明による水平対流ファンを有する放熱システムは、一個のシステム機体および一個の水平対流ファンを有する。システム機体の内部には一個のチェンバーが形成され、チェンバーには熱源または熱伝導部材が含まれる。システム機体にはチェンバーと連通する二個の水平導風口が設けられる。水平対流ファンにはシステム機体のチェンバーに設置される一個の框体が含まれ、框体には一個の導流側壁が含まれ、導流側壁の内側には一個の水平流路が形成され、かつ水平流路と連通する一個の径方向風入口および一個の径方向風出口が設けられる。径方向風入口および径方向風出口はシステム機体の二個の水平導風口と相互に対向するように形成される。水平流路には一個のファンホイールが設けられ、ファンホイールによって水平対流を生じて熱源または熱伝導部材の温度を低下させる。さらに框体はファンホイールにおける軸方向の両側を密閉しない開放状に形成される。
【０００９】
また、システム機体には底板が含まれ、底板の周縁には互いに連接する複数個の側壁が設けられ、それぞれの側壁には一個の蓋板が結合され、底板、側壁と蓋板は共同で囲んでチェンバーを有するシステム機体が形成され、二個の水平導風口は側壁に設けられることもできる。また、底板と蓋板はシステム機体のチェンバーを被覆するように形成されることもできる。また、底板と蓋板は水平対流ファンのファンホイールの軸方向に位置し、かつ底板と蓋板は水平対流ファンのファンホイールの回動の範囲を被覆するように形成されることにより、水平流路はファンホイールの軸方向において密閉の構造に形成されることもできる。また、蓋板は水平対流ファンのファンホイールの軸方向に位置し、かつ蓋板は水平対流ファンのファンホイールの回動の範囲を被覆するように形成されることにより、水平流路はファンホイールの軸方向において密閉の構造に形成されることもできる。また、二個の水平導風口は隣接する二個の側壁に設けられることもできる。また、底板と蓋板の間には一個の隙間が形成され、水平対流ファンの導流側壁はファンホイールの軸方向において一個の軸方向の高さが形成され、軸方向の高さは隙間と同じになるように形成されることもできる。また、導流側壁と底板の間または導流側壁と蓋板の間には一個の気密部材が設けられることもできる。また、気密部材は導流側壁が底板または蓋板に向いている周縁に設けられることもできる。また、システム機体の二個の水平導風口の間には少なくとも一個の固定部が設けられ、水平対流ファンは固定部に固定されることもできる。また、システム機体の固定部は二個の係止部材からなり、水平対流ファンの框体の導流側壁には二個の係止フックが設けられ、二個の係止フックは二個の係止部材に係止して結合されることもできる。
【００１０】
また、同様な技術思想に基づく本発明による別の水平対流ファンを有する放熱システムは、一個のシステム機体および一個の水平対流ファンを有する。システム機体の内部には一個のチェンバーが形成され、チェンバーには熱源または熱伝導部材が含まれる。システム機体にはチェンバーと連通する一個の水平導風口が設けられる。水平対流ファンにはシステム機体のチェンバーに設置される一個の框体が含まれ、框体には一個の導流側壁が含まれる。導流側壁の内側には一個の水平流路が形成され、かつ水平流路と連通する一個の径方向風入口および一個の径方向風出口が設けられる。径方向風入口または径方向風出口は熱源または熱伝導部材に向くように形成され、径方向風入口または径方向風出口はシステム機体の水平導風口と相互に対向するように形成される。水平流路には一個のファンホイールが設けられ、ファンホイールによって水平対流を生じて熱源または熱伝導部材の温度を低下させる。さらに框体はファンホイールにおける軸方向の両側を密閉しない開放状に形成される。
【００１１】
さらに、同様な技術思想に基づく本発明による別の水平対流ファンを有する放熱システムは、一個のシステム機体および一個の水平対流ファンを有する。システム機体の内部には一個のチェンバーが形成され、チェンバーには熱源または熱伝導部材が含まれる。システム機体にはチェンバーと連通する少なくとも一個の水平導風口が設けられ、チェンバーには一個の水平流路が設けられる。水平流路は少なくとも一個の水平導風口と連通するように形成される。水平対流ファンには一個の基座が含まれ、基座はシステム機体の水平流路に設けられる。基座には一個のファンホイールが設けられ、ファンホイールによって水平対流を生じて熱源または熱伝導部材の温度を低く下げるように形成される。
【発明の効果】
【００１２】
本発明の水平対流ファンを有する放熱システムによれば、水平対流ファンを放熱システムの機体内部に取り付ける時、過大な軸方向高さの空間を占めるのを避けることにより、放熱システムの高さと容積を有効に縮減することができるという利点がある。
【図面の簡単な説明】
【００１３】
【図１】図１は、本発明の実施例１の水平対流ファンを有する放熱システムの分解斜視図である。
【図２】図２は、本発明の実施例１の水平対流ファンを有する放熱システムの組み立てられた状態の断面図である。
【図３】図３は、本発明の実施例１の水平対流ファンを有する放熱システムの水平対流ファンの分解斜視図である。
【図４】図４は、図２のＡ−Ａ線に沿った断面図である。
【図５】図５は、本発明の実施例２の水平対流ファンを有する放熱システムの分解斜視図である。
【図６】図６は、本発明の実施例３の水平対流ファンを有する放熱システムの分解斜視図である。
【図７】図７は、従来の水平対流ファンを有する放熱システム構造の説明図である。
【発明を実施するための形態】
【００１４】
本発明の実施の形態について、以下、図面を参照して説明する。
【実施例１】
【００１５】
図１は本発明の実施例１の水平対流ファンを有する放熱システムの分解斜視図で、図２は本発明の実施例１の水平対流ファンを有する放熱システムの組み立てられた状態の断面図である。図１、２を参照すると、本発明の実施例１の水平対流ファンを有する放熱システムには少なくとも一個のシステム機体１と一個の水平対流ファン２が含まれる。システム機体１は、例えば、携帯情報端末、携帯電話、コンピューターまたはその他の作動時において熱エネルギーが生じ易い各種の電子製品の殻体からなる。水平対流ファン２はシステム機体１の内部に設けられ、そして予定される放熱効果を提供するよう用いられる。
【００１６】
システム機体１の内部には一個のチェンバー１１が形成される。チェンバー１１には一個の熱源１１１と一個の熱伝導部材１１２の中の少なくとも一種類が含まれ、例えばチェンバー１１には熱源１１１しか有せず、水平対流ファン２は直接熱源１１１に対して放熱を行うことができるか、またはチェンバー１１には同時に熱源１１１と熱伝導部材１１２が含まれ、水平対流ファン２は間接的に熱伝導部材１１２を通して熱源１１１に対して放熱を行うことができる。また、システム機体１には二個の水平導風口１２が設けられる。二個の水平導風口１２はチェンバー１１と連通するように形成され、そして二個の水平導風口１２の間には少なくとも一個の固定部１３が設けられる。固定部１３は水平対流ファン２を固定するのに用いることができる各種の構造設計からなることができ、例えば係止手段による構造、ロック手段による構造、熔接による貼合などからなることができる。
【００１７】
実施例１において、システム機体１には一個の底板１ａが含まれ、底板１ａの周縁には互いに連接する複数個の側壁１ｂが設けられる。それぞれの側壁１ｂは一個の蓋板１ｃと結合し、蓋板１ｃと底板１ａは相対するように形成される。これにより、底板１ａ、側壁１ｂと蓋板１ｃが共同して囲んだチェンバー１１を有するシステム機体１が形成される。また、二個の水平導風口１２は隣接する二個の側壁１ｂに設けられる。チェンバー１１には同時に熱源１１１と熱伝導部材１１２が含まれ、その中、熱伝導部材１１２は一個の放熱フィン１１２ａと一個の放熱板１１２ｂにより構成される。放熱フィン１１２ａは一個の水平導風口１２の位置に位置するように形成され、放熱板１１２ｂの一端は放熱フィン１１２ａと連接し、他端は熱源１１１と連接するように形成される。また、システム機体１の固定部１３は二個の係止部材からなり、その中の一個の係止部材は側壁１ｂの内側に設けられ、もう一個の係止部材はチェンバー１１の一個の突出板１４の一方の表面に設けられる。
【００１８】
図３は本発明の実施例１の水平対流ファンを有する放熱システムの水平対流ファンの分解斜視図である。図３を参照すると、水平対流ファン２には一個の框体２１が含まれる。框体２１はシステム機体１のチェンバー１１に設けられ、そして固定部１３に固定される。框体２１には一個の導流側壁２１１が含まれ、導流側壁２１１の内側には一個の水平流路２１２が形成され、そして導流側壁２１１には水平流路２１２と連通する一個の径方向風入口２１３および一個の径方向風出口２１４が設けられる。径方向風入口２１３および径方向風出口２１４はシステム機体１の二個の水平導風口１２と相対するように形成される。この他に、水平流路２１２には一個のファンホイール２２が回動自在に設けられる。ファンホイール２２には複数個の羽根２２１が含まれ、羽根２２１によって空気を導引して水平対流を生じることができる。さらに框体２１はファンホイール２２における軸方向の方向Ｌの両側を密閉しない開放状に形成される。
【００１９】
実施例１において、水平対流ファン２の框体２１の内側には一個の基座２３が設けられる。基座２３は複数個の連接部材２３１（例えばリブなど）によって導流側壁２１１と連接し、そして基座２３にはファンホイール２２が枢接するための一個の軸枢接部２３２が含まれる。また基座２３にはファンホイール２２を回動するように駆動するための一個の駆動ユニット２４が設けられる。駆動ユニット２４の基本的構造としては、例えば、コイルユニット、回路板などの部材が含まれる。さらに駆動ユニット２４は交番磁界の原理を利用してファンホイール２２が回動するように駆動する（ファンホイール２２には予め一個の永久磁石が設けられる）ものであるが、これについては本発明の技術分野に属する者にとって自明な技術的事項であるため、ここではその説明を省略する。また、水平対流ファン２の框体２１の導流側壁２１１には二個の係止フック２５が設けられる。固定部１３が二個の係止部材からなる場合、二個の係止フック２５を固定部１３に係止して結合することにより、水平対流ファン２は安定してシステム機体１のチェンバー１１に結合されるとともに、取外しが容易になってメンテナンスが簡単になる。
【００２０】
図４は図２のＡ−Ａ線に沿った断面図である。図４を参照すると、上述した底板１ａと蓋板１ｃの間には一個の隙間Ｄが形成され、水平対流ファン２の導流側壁２１１はファンホイール２２の軸方向において一個の軸方向の高さＨが形成される。その中、軸方向の高さＨは、好ましくは隙間Ｄと同じように形成され、それにより、水平対流ファン２がシステム機体１のチェンバー１１に結合される時、底板１ａ、蓋板１ｃと導流側壁２１１の間に隙間が生じ易くなくなるのを確保することができるため、水平対流ファン２が空気を導引して水平流路２１２に進出する過程において、気流が底板１ａ、蓋板１ｃと導流側壁２１１との互いの間の隙間を経由して外へ漏れるのを防止することができる。また、底板１ａ、蓋板１ｃと導流側壁２１１の間の気密の効果をさらに高めるべく、導流側壁２１１と底板１ａの間、または導流側壁２１１と蓋板１ｃの間にはさらにそれぞれ一個の気密部材２６（例えばシリコンまたはゴムなど）が設けられることにより、よりよい気密効果を提供することができる。その中に、導流側壁２１１が底板１ａまたは蓋板１ｃに向いている周縁に気密部材２６を直接設けさせることにより、組み立てがさらに簡単になる。
【００２１】
さらに詳しく言えば、上述した底板１ａと蓋板１ｃは、好ましくは、システム機体１のチェンバー１１を被覆するように用いられることにより、水平流路２１２は密閉した構造を確保することができる。上述した技術思想に基づいて、底板１ａと蓋板１ｃは、好ましくは、水平対流ファン２のファンホイール２２の軸方向に位置するように形成されることにより、水平対流ファン２のファンホイール２２の回動範囲を被覆するか、または蓋板１ｃだけが水平対流ファン２のファンホイール２２の軸方向に位置するように形成されることにより、水平対流ファン２のファンホイール２２の回動の範囲を被覆するのに用いることができる。これにより、水平流路２１２はファンホイール２２の軸方向において密閉した構造に形成される。
【００２２】
本発明の水平対流ファンを有する放熱システムを実際に使用する時、熱源１１１（電子製品の内部の各種の電子部材）から発生された熱は、システム機体１の作動により水平対流ファン２の駆動ユニット２４によってファンホイール２２が回動するのを駆動することができるため、ファンホイール２２は一個の水平導風口１２と径方向風入口２１３から気流を水平流路２１２まで導入し、それから再び熱伝導部材１１２を通過してもう一個の水平導風口１２と径方向風出口２１４から外部の空間まで導出することにより、気流によって熱源１１１から熱伝導部材１１２まで伝導される熱エネルギーを吹き散らすことができるため、本発明の水平対流ファンを有する放熱システムは正常に作動し、使用寿命を高めることができる。
【００２３】
上述した構造的特徴によれば、本発明の水平対流ファンを有する放熱システムの主な特徴は、水平対流ファン２の框体２１には導流側壁２１１しか含まれず、框体２１のファンホイール２２における軸方向の方向Ｌの両側を密閉しない開放形態に形成されることにより、伝統的な框体の上蓋と底板などの部材（例えば図７の殻座８１）を有せず、図４に示すようにシステム機体１のチェンバー１１の高さの設計では導流側壁２１１の軸方向の高さＨを収容する空間だけを留保すれば充分であるため、システム機体１の高さを低く下げることができ、システム機体１の容積を有効に縮減できる。また、水平対流ファン２をシステム機体１のチェンバー１１に取り付ける時、框体２１の水平流路２１２によってシステム機体１のチェンバー１１に予定された流路を区隔することができる。そのため、上述した流路の構造的設計によれば、システム機体１において予め流路を成形しておく必要はなく、システム機体１の製造、組立と構造の複雑性を有効に低く抑えることができる。
【実施例２】
【００２４】
図５は本発明の実施例２の水平対流ファンを有する放熱システムの分解斜視図である。本発明の実施例２の水平対流ファンを有する放熱システムは実施例１と同様に一個のシステム機体３と一個の水平対流ファン４が含まれる。その中、水平対流ファン４はシステム機体３の内部に設けられる。
【００２５】
本発明の実施例２において、システム機体３は一個の底板３ａ、複数個の側壁３ｂと一個の蓋板３ｃによって共同して囲んだチェンバー３１を有するシステム機体３が形成され、さらにチェンバー３１には一個の熱源３１１が含まれる。また、システム機体３の一個の側壁３ｂには一個の水平導風口３２が設けられ、水平導風口３２はチェンバー３１と連通するように形成される。
【００２６】
本発明の実施例２に掲示される水平対流ファン４は、実施例１に掲示される水平対流ファン２と同様に、例えば框体４１、導流側壁４１１、水平流路４１２、径方向風入口４１３、径方向風出口４１４、ファンホイール４２、羽根４２１、基座４３、連接部材４３１、軸枢接部４３２、駆動ユニット４４と気密部材４６などの部材（実施例２に掲示される框体４１は粘着方式でシステム機体１に結合されるため、実施例１の係止フック２５は省略される）が含まれる。実施例２の水平対流ファン４は実施例１の水平対流ファン２の構造的特徴と大体同じであり、形状上において少し差異を有するだけであるため、ここではその説明を省略する。
【００２７】
本発明の実施例２の水平対流ファンを有する放熱システムと実施例１の水平対流ファンを有する放熱システムとの差異は、システム機体３には一個の水平導風口３２だけが設けられ、水平対流ファン４がシステム機体３のチェンバー３１に設けられる時、径方向風入口４１３または径方向風出口４１４が熱源３１１に向くように形成され、そして径方向風入口４１３または径方向風出口４１４はシステム機体３の水平導風口３２と相互に対向するように形成されることである。さらに詳しく言えば、水平対流ファン４のファンホイール４２の回動方向（時計回りまたは反時計回り）に基づいて、径方向風入口４１３が熱源３１１に向く時、径方向風出口４１４はシステム機体３の水平導風口３２と相対するように形成され、それに反して、径方向風出口４１４が熱源３１１に向く時、径方向風入口４１３はシステム機体３の水平導風口３２と相対するように形成される。
【００２８】
システム機体３の作動によって熱源３１１が過熱になる時、一般のシステム機体３は非完全密閉な中空殻体の構造（例えば、システム機体３には風進入口または風排出口として気孔または隙間などが含まれる）からなるため、図５に掲示される実施例２において、水平対流ファン４のファンホイール４２は径方向風入口４１３から熱源３１１によって生じられた熱気を水平流路４１２まで吸い込み、それから水平導風口３２と径方向風出口４１４から再び外部空間へ導出することにより、本発明の水平対流ファンを有する放熱システムは正常に作動することができる。また、本発明の実施例２の水平対流ファンを有する放熱システムは、実施例１と同様に、システム機体３の高さを低く抑え、システム機体３の容積を縮減することができるとともに、システム機体３の製造、組立と構造の複雑性を有効に低く抑えることができる。
【実施例３】
【００２９】
図６は本発明の実施例３の水平対流ファンを有する放熱システムの分解斜視図である。本発明の実施例３の水平対流ファンを有する放熱システムは前記実施例と同様に一個のシステム機体５と一個の水平対流ファン６が含まれる。その中、水平対流ファン６はシステム機体５の内部に設けられる。
【００３０】
本発明の実施例３において、システム機体５は一個の底板５ａ、複数個の側壁５ｂと一個の蓋板５ｃによって共同して囲んだチェンバー５１を有するシステム機体５が形成される。さらにチェンバー５１には一個の熱源５１１と一個の熱伝導部材５１２が含まれる。また、システム機体５の隣接する二個の側壁５ｂには二個の水平導風口５２（例えば実施例２の技術思想で示されるように、使用上の必要性に応じて一個の水平導風口５２を設けることもできる）が設けられ、二個の水平導風口５２はチェンバー５１と連通するように形成される。その中、チェンバー５１には二個の水平導風口５２の間において予め複数個の導流側壁５３が設けられることにより、一個の水平流路５４が形成される。水平流路５４は二個の水平導風口５２と連通するように形成される。
【００３１】
本発明の実施例３に掲示される水平対流ファン６には有一個の基座６１が含まれ、基座６１を粘着、係止またはロックなどの方式を利用してシステム機体５の水平流路５４に結合することができる。実施例３において、基座６１は粘着の方式で水平流路５４に結合される。基座６１にはファンホイール６２が枢接するための一個の軸枢接部６１１が含まれ、またファンホイール６２が回動するのを駆動するための一個の駆動ユニット６３が設けられる。駆動ユニット６３の基本的構造として例えばコイルユニット、回路板などの部材が含まれ、さらに駆動ユニット６３は交番磁界の原理を利用してファンホイール６２が回動するように駆動するものであるが、これについては本発明の技術分野に属する者にとって自明な技術的事項であるため、ここではその説明を省略する。
【００３２】
本発明の実施例３の水平対流ファンを有する放熱システムと実施例２の水平対流ファンを有する放熱システムとの差異は、システム機体５は複数個の導流側壁５３によって気流が流動するための水平流路５４を予め設計して形成させることにより、水平対流ファン６には実施例１や実施例２に示すような框体２１、４１などの部材を設けることはなく、基座６１とファンホイール６２をシステム機体５のチェンバー５１に直接取り付けることにより、組立が便利になるとともに、構造の複雑性を低く抑えることができる。
【００３３】
かくして、図６に示すように、システム機体５の作動によって熱源５１１が熱を発する時、水平対流ファン６のファンホイール６２は一個の水平導風口５２から熱源５１１によって生じられた熱気を水平流路５４まで吸い込み、それから再び熱伝導部材５１２を通過してもう一個の水平導風口５２から気流を水平流路５４まで導入し、それから再びもう一個の水平導風口５２から導出して熱源５１１に対して放熱を行うことにより、本発明の水平対流ファンを有する放熱システムの使用寿命を高めることができる。また、本発明の実施例３の水平対流ファンを有する放熱システムは前記実施例と同様にシステム機体５の高さを低く抑え、システム機体５の容積を縮減することができるとともに、システム機体５の製造、組立と構造の複雑性を有効に低く抑えることができる。
【００３４】
上述のように、本発明の実施例１と実施例２の水平対流ファンを有する放熱システムによれば、そのシステム機体１、３のチェンバー１１、３１の高さの設計では導流側壁２１１、４１１の軸方向の高さＨを収容する空間だけを留保すれば充分である。また、本発明の実施例３の水平対流ファンを有する放熱システムによれば、そのシステム機体５のチェンバー５１の高さの設計ではファンホイール６２を収容する空間だけを留保すれば充分である。全体的に言えば、本発明のシステム機体１、３、５によって確実に高さを低く抑え、容積を縮減することができる。
【００３５】
本発明は、その精神と必須の特徴的事項から逸脱することなく他のやり方で実施することができる。従って、本明細書に記載した好ましい実施例は例示的なものであり、限定を意図するものではない。
【符号の説明】
【００３６】
１    システム機体
１ａ    底板
１ｂ    側壁
１ｃ    蓋板
１１    チェンバー
１１１    熱源
１１２    熱伝導部材
１１２ａ    放熱フィン
１１２ｂ    放熱板
１２    水平導風口
１３    固定部
１４    突出板
２    水平対流ファン
２１    框体
２１１    導流側壁
２１２    水平流路
２１３    径方向風入口
２１４    径方向風出口
２２    ファンホイール
２２１    羽根
２３    基座
２３１    連接部材
２３２    軸枢接部
２４    駆動ユニット
２５    係止フック
２６    気密部材
３    システム機体
３ａ    底板
３ｂ    側壁
３ｃ    蓋板
３１    チェンバー
３１１    熱源
３２    水平導風口
４    水平対流ファン
４１    框体
４１１    導流側壁
４１２    水平流路
４１３    径方向風入口
４１４    径方向風出口
４２    ファンホイール
４２１    羽根
４３    基座
４３１    連接部材
４３２    軸枢接部
４４    駆動ユニット
４６    気密部材
５    システム機体
５ａ    底板
５ｂ    側壁
５ｃ    蓋板
５１    チェンバー
５１１    熱源
５１２    熱伝導部材
５２    水平導風口
５３    導流側壁
５４    水平流路
６    水平対流ファン
６１    基座
６１１    軸枢接部
６２    ファンホイール
６３    駆動ユニット
８    水平対流ファン
８１    殼座
８１１    底板
８１２    側壁
８１３    上蓋
８２    ファンホイール
８３    径方向風入口
８４    径方向風出口
９    機体
Ｄ    隙間
Ｈ    高さ
Ｌ    方向
【図１】
0005210421.tif 000002
【図２】
0005210421.tif 000003
【図３】
0005210421.tif 000004
【図４】
0005210421.tif 000005
【図５】
0005210421.tif 000006
【図６】
0005210421.tif 000007
【図７】
0005210421.tif 000008